(57)【要約】【課題】ストロボ光の良好な配光性を確保しつつ大きく減光する。【解決手段】  ストロボ発光部７は、ストロボ発光管５１とリフレクタ５２と透明なプロテクタ５３とからなる。ストロボ発光部７の前方に減光板１９を配置する。この減光板１９には、細長い円管形状をしたストロボ発光管５１の略中央部の前方でストロボ発光管５１の長手方向と十字状に直交するように細長い長方形のスリット５５を設けてある。このスリット５５により、ストロボ発光管５１の長手方向及びそれと直交する方向へのストロボ光の広がりを確保し、好ましい配光パターンを得る。【選択図】        図７
2007034172.tif 000002
【特許請求の範囲】
【請求項１】
ストロボ光を放出するストロボ発光管を有するストロボ発光部からのストロボ光を減光して被写体に照射させるストロボ減光板において、
前記ストロボ発光部の前方に配置され、ストロボ発光部からのストロボ光を遮断する遮光性を有する板状部材に、前記ストロボ発光管の略中央部の前方でストロボ発光管の長手方向と十字状に略直交するスリット状の開口を設け、このスリット状の開口からストロボ光を射出することを特徴とするストロボ減光板。
【請求項２】
前記スリット状の開口は、前記ストロボ発光管の長手方向と直交する方向の両端部分の幅を開口の中央部分よりも広いことを特徴とする請求項１記載のストロボ減光板。
【請求項３】
ストロボ発光部からのストロボ光の光量を３．０ＥＶ相当以上減光することを特徴とする請求項１または２記載のストロボ減光板。
【請求項４】
前記板状部材に設けられ、前記スリット状の開口よりも射出する光量の小さい補助開口を備えたことを特徴とする請求項１または２記載のストロボ減光板。
【請求項５】
前記板状部材の一方の面に、ストロボ発光部のプロテクタに接着するための接着剤層を備え、前記プロテクタの表面に貼付けられることを特徴とする請求項１ないし４のいずれか１項に記載のストロボ減光板。
【請求項６】
ストロボ光を放出するストロボ発光管を有するストロボ発光部を備えたストロボ装置において、
前記請求項１ないし４のいずれか１項に記載されたストロボ減光板を備えたことを特徴とするストロボ装置。
【請求項７】
前記ストロボ減光板は、ストロボ発光部の前方に配置された減光位置と、ストロボ発光部の前方から退避した退避位置とに移動自在にされていることを特徴とする請求項６記載のストロボ装置。
【請求項８】
前記スリット状の開口の開口幅を調節する調節手段を備えたことを特徴とする請求項６または７に記載のストロボ装置。
【請求項９】
未露光の写真フイルムが予め装填されたユニット本体に、撮影レンズを含む撮影機構と、ストロボ発光管から放出されるストロボ光を被写体に向けて照射するストロボ発光部を有するストロボ装置とを内蔵したレンズ付きフイルムユニットにおいて、
前記ストロボ装置は、前記請求項１ないし４のいずれか１項に記載されたストロボ減光板を備えたことを特徴とするレンズ付きフイルムユニット。
【請求項１０】
前記ストロボ減光板は、ストロボ発光部の前方に配置された減光位置とストロボ発光部の前方から退避した退避位置とに移動自在であり、外部から操作され、ストロボ発光部からのストロボ光を減光せずに照射する通常モードと、ストロボ光を減光して照射する減光モードと選択するための操作部材と、この操作部材による通常モードの選択に連動させて前記ストロボ減光板を退避位置に移動し、減光モードの選択に連動させて前記ストロボ減光板を減光位置に移動する移動手段を備えたことを特徴とする請求項９記載のレンズ付きフイルムユニット。
【請求項１１】
前記ユニット本体は、写真フイルムが装填されるとともに、本体基部に組み付けられた撮影機構及び前記ストロボ装置を覆うように前記本体基部の前面に組み付けられる前カバーを備え、前記ストロボ発光部に対面する前カバーの部分に前記ストロボ遮光板を一体に設けたことを特徴とする請求項９記載のレンズ付きフイルムユニット。
【請求項１２】
前記ストロボ減光板は、前記ストロボ発光管の中央より前記撮影レンズ側にずらした位置に前記スリット状の開口が設け、前記撮影レンズによる撮影範囲とストロボ光の照射範囲とがほぼ合致させることを特徴とする請求項９ないし１１のいずれか１項に記載のレンズ付きフイルムユニット。
【発明の詳細な説明】
【技術分野】
【０００１】
本発明は、ストロボ減光板及びストロボ装置並びにレンズ付きフイルムユニットに関するものである。
【背景技術】
【０００２】
未露光の写真フイルムが予め装填されたレンズ付きフイルムユニットが各種販売されている。このようなレンズ付きフイルムユニットには、室内や夜間等の暗い場所でも撮影できるようにストロボ装置を内蔵したものや、近接撮影を可能にしたもの，絞り値を切り換えて、暗い場所での撮影から明るい場所での撮影まで良好な撮影ができるようにしたものなどがある。
【０００３】
近接撮影を行う場合においては、通常時と同じストロボ光量で撮影を行うと、ストロボ光量が多すぎて露光オーバーとなってしまう。また、夜間や室内などの暗い場所で撮影する場合に、背景の描写性を高めるために絞りを大きく（絞り値を小さく）したときには、通常時と同じストロボ光量で撮影を行うと、やはりストロボ光量が多すぎて主要被写体が露光オーバーとなってしまう。
【０００４】
ストロボ光を減光する技術としては、乳白色の拡散板をストロボ発光部の前方に配置する手法とともに、特許文献１〜４に記載される技術が知られている。特許文献１では、ストロボ光を照射するストロボ発光部の前方に多数の通過孔を設けた減光板を配置することでストロボ光の減光を行っている。特許文献１では、通過孔を規則性な配列することによってストロボ光の配光ムラを少なくしている。
【０００５】
特許文献２は、ストロボ放電管の長手方向に沿って細長い板状の遮光板をストロボ発光部の前方に配置するものであり、ストロボ放電管を挟むストロボ発光部の上下からストロボ光を照射し、ストロボ光を減光しつつ適切な配光パターンとしている。特許文献３では、特許文献２と同様な減光板の長手方向の両端部を中央部よりの幅狭とし、さらには遮光板に１個以上の開口を設けることによって、より適切な配光パターンとしている。
【０００６】
特許文献４は、外部光刺激に応じて透過光量が変化するフォトクロミック材をストロボ発光部の前方に設けたものであり、例えば晴天時の屋外撮影のように外光が得られるときには、フォトクロミック材によってストロボ光の透過光量が小さくし、被写体へのストロボ光の照射量を小さくしている。
【０００７】
他方、特許文献５によって、ストロボ放電管の前面にストロボ光の透過量を変化させるための液晶板と、この液晶板によって減光されたストロボ光を被写体に投影させるための投影レンズを設けたストロボ装置が知られている。これによれば、被写体が近距離の場合には、被写体に相当する部分の液晶板の透過率を低くするとともに、照射されるストロボ光の焦点が被写体に合致するように投影レンズの位置を調整し、被写体の位置や形状にかかわらず最適な露出を得るようにしている。
【特許文献１】特開２００４−２２６７４４号公報
【特許文献２】特開２００４−０６１５３６号公報
【特許文献３】特開２００４−１５１５７１号公報
【特許文献４】特開平１１−２９５７８８号公報
【特許文献５】特開２００３−０９８５８０号公報
【発明の開示】
【発明が解決しようとする課題】
【０００８】
ところで上記のように乳白色の拡散板を減光手段として用いる場合では、大幅にストロボ光を減光するのが難しく、特に３．０ＥＶ以上の減光性能を得ることは困難であった。また、特許文献１のように、多数の通過孔を設けた減光板を用いる手法では、各通過孔から射出された光が干渉してしまい、やはり大幅に減光することが難しい。さらに、特許文献２，３のようにストロボ放電管の長手方向に沿って細長い板状の遮光板を用いる手法では、遮光板の幅を広くして大幅に減光しようとすると、その遮光板によるストロボ光の遮断範囲に応じた暗部が撮影画面内に生じてしまうという問題があった。そして、特許文献３のように、遮光板に開口を設け暗部の発生をなくそうとすると、逆に十分な減光性能が得られなくなってしまう。さらに、乳白色の拡散板と、各種遮光板との組み合わせも考えられるが、部品点数の増加、製造コストの上昇を招いてしまう。
【０００９】
特許文献４，５のように、外光の光量に応じて透過率が変化するフォトクロミック材を用いたり、電気信号によって透過濃度が変化する液晶等を用いたりする場合では、その材料が高価であり、さらに液晶等を駆動するための回路がさらに必要になるため、部品点数の増加、製造コストの増加を招く。特に、安価なことを特徴の１つとしているレンズ付きフイルムユニットに採用することは特に難しい。
【００１０】
本発明は、上記問題を解消するためになされたもので、少ない部品点数で、十分な減光性能、例えば１．０ＥＶ〜５．０ＥＶ相当の減光性能を得ることができ、しかも２．０ＥＶ以上に減光した場合でも通常発光時と同等の配光性を得ることができるストロボ減光板及びストロボ装置並びにレンズ付きフイルムユニットを提供することを目的とする。
【課題を解決するための手段】
【００１１】
上記目的を達成するために、請求項１記載のストロボ遮光板では、ストロボ発光部の前方に配置されストロボ発光部からのストロボ光を遮断する遮光性を有する板状部材に、ストロボ発光管の略中央部の前方でストロボ発光管の長手方向と十字状に略直交するスリット状の開口を設け、このスリット状の開口からストロボ光を射出するものである。
【００１２】
請求項２記載のストロボ遮光板では、スリット状の開口を、ストロボ発光管の長手方向と直交する方向の両端部分の幅を開口の中央部分よりも広い形状としたものである。また、請求項３記載のストロボ遮光板では、ストロボ発光部からのストロボ光の光量を３．０ＥＶ相当以上減光するようにしたものである。さらに、請求項４記載のストロボ減光板では、スリット状の開口よりも射出する光量の小さい補助開口を板状部材に設けたものである。請求項５記載のストロボ遮光板では、板状部材の一方の面に、ストロボ発光部のプロテクタに接着するための接着剤層を備え、プロテクタの表面に貼付けられるシールとしたものである。
【００１３】
請求項６記載のストロボ装置では、ストロボ装置では、上記のようなストロボ減光板を備えて減光するものである。請求項７記載のストロボ装置では、ストロボ減光板を、ストロボ発光部の前方に配置された減光位置と、ストロボ発光部の前方から退避した退避位置とに移動自在にしたものである。また、請求項７記載のストロボ装置では、スリット状の開口の開口幅を調節する調節手段を備えたものである。
【００１４】
請求項９記載のレンズ付きフイルムユニットでは、それが備えるストロボ装置に、上記のようなストロボ減光板を備えるようにしたものである。請求項１０記載のレンズ付きフイルムユニットでは、ストロボ減光板を、ストロボ発光部の前方に配置された減光位置とストロボ発光部の前方から退避した退避位置とに移動自在とし、外部から操作され、ストロボ発光部からのストロボ光を減光せずに照射する通常モードと、ストロボ光を減光して照射する減光モードと選択するための操作部材と、この操作部材による通常モードの選択に連動させて前記ストロボ減光板を退避位置に移動し、減光モードの選択に連動させて前記ストロボ減光板を減光位置に移動する移動手段を備えたものである。
【００１５】
請求項１１記載のレンズ付きフイルムユニットでは、ユニット本体の前カバーにストロボ遮光板を一体に設けたものであり、請求項１２記載のレンズ付きフイルムユニットではストロボ発光管の中央より撮影レンズ側にずらした位置にスリット状の開口を設け、前記撮影レンズによる撮影範囲とストロボ光の照射範囲とがほぼ合致させるようにしたものである。
【発明の効果】
【００１６】
本発明によれば、遮光性を有する板状部材にストロボ発光管の長手方向と十字状に略直交するスリット状の開口を設けものをストロボ減光板として、これをストロボ発光部の前方に配置して、ストロボ光の減光を図るようにしたから、夜景や室内撮影などにおいて、通常もストロボ発光時と同等の配光性を確保しながら十分な減光を図ることができ、しかも簡単な構成で低コストに実現することができる。
【発明を実施するための最良の形態】
【００１７】
本発明を実施したレンズ付きフイルムユニットの外観を図１に示す。レンズ付きフイルムユニット２は、各種撮影機構が組み込まれたユニット本体３と、このユニット本体３の製造時に装填されるフイルムパトローネと、ユニット本体３の外周に巻き付けられるようにして貼付されるラベル４とからなる。ラベル４には、ユニット本体３の各部を露呈させるための開口を形成してある。
【００１８】
ユニット本体３の前面に、撮影レンズ５，ファインダ６，ストロボ発光部７，撮影モード選択部８等を設けてある。ユニット本体３の上面には、レリーズボタン９，カウンタ表示窓１０，シグナル用開口１１等を設けてある。ユニット本体３の背面には、撮影毎のフイルム巻き上げに用いられる巻上げノブ１２の一部を露呈してある。
【００１９】
撮影モード選択部８は、ユニット本体３の前面に形成した操作開口１４と、この操作開口１４内で移動自在な略小判形状の操作部材１５とからなる。操作部材１５は、図１に示すように、操作開口１４内の下方に位置する第１操作位置と、図２に示すように、第１操作位置から上方にスライドした第２操作位置と、図３に示すように、第２操作位置から図中時計方向に回動した第３操作位置とに移動自在としてある。
【００２０】
レンズ付きフイルムユニット２は、操作部材１５が第１操作位置にあるときに、日中屋外等の明るい場所での撮影に適した第１撮影モードとなり、ストロボＯＦＦ，小絞り，高速シャッタに設定される。また、操作部材１５が第２操作位置にあるときには、日中屋外等の明るい場所での逆光撮影に適した第２撮影モードとなり、ストロボＯＮ，小絞り，高速シャッタに設定される。この第２撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００２１】
操作部材１５が第３操作位置にあるときには、夜間の屋外や室内等での撮影に適した第３撮影モードとなり、ストロボＯＮ，大絞り，低速シャッタに設定される。この第３撮影モードでは、ストロボ光が有効でない暗い背景を適当な明るさで写し込むために大絞り，低速シャッタとしている。また、大絞りの下でストロボ光による主要被写体の露光量を適切にするのと同時に、主要被写体と背景との輝度差を小さくするために、操作部材１５の第３操作位置への移動によって、ストロボ発光部７の前方にストロボ光を減光する減光板（ストロボ減光板）１９を配する。また、ファインダ６の前方には、指標板２０が配置される。この指標板２０は、ファインダ６内で視認されることにより、レンズ付きフイルムユニット２が第３撮影モードにあることを撮影者に知らせる。
【００２２】
この例では、第２撮影モードがストロボ発光部からのストロボ光を減光せずに照射する通常モードであり、第３撮影モードがストロボ光を減光して照射する減光モードとなっている。
【００２３】
各撮影モードにおけるシャッタ速度、絞り値等の組み合せの一例を表１に示す。この例では、高速シャッタが「１／１４０秒」、低速シャッタが「１／４５秒」であり、小絞りが「Ｆ１４」、大絞りが「Ｆ５．６」となっている。また、減光板１９によって減光しない場合のガイドナンバが「８．８（ISO100・ｍ）」、減光板１９によって減光した場合のガイドナンバが「２．７（ISO100・ｍ）」となっている。
【００２４】
【表１】
2007034172.tif 000003
【００２５】
図４にユニット本体３の構成を示す。ユニット本体３は、フイルムパトローネ２２が装填される本体基部２３と、ストロボ装置２４と、モード切替機構２５と、前カバー２６及び後カバー２７とからなる。本体基部２３の前面側には、各種撮影機構，ストロボ装置２４，モード切替機構２５が組み付けられ、それらを覆うように本体基部２３の前面側に前カバー２６が組み付けられる。後カバー２７は、本体基部２３の背面側に取り付けられる。
【００２６】
フイルムパトローネ２２は、１３５タイプのものが用いられており、写真フイルム２２ａとパトローネ２２ｂとからなる。写真フイルム２２ａのフイルム感度は、ＩＳ０８００またはＩＳＯ１６００のものを用いている。なお、フイルム感度は、ＩＳ０８００またはＩＳＯ１６００に限るものではないが、ＩＳＯ８００以上が好ましい。また、写真フイルム２２ａは、１３５タイプのものに限らない。
【００２７】
ストロボ装置２４は、各種電気部品が取り付けられてストロボ回路２８（図５参照）を形成したプリント基板２９と、ストロボ発光管やリフレクタ，拡散板等からなるストロボ発光部７とから構成されている。また、プリント基板２９には、シャッタ羽根の開閉に同期してオンし、ストロボ発光を行わせるシンクロスイッチ３０と、操作部材１５が第２操作位置及び第３操作位置のときにオンとされるストロボスイッチ３１（図５参照）を構成する金属接片３１ａと、電池３２をストロボ回路２８に接続する電池接片３３等を組み付けてある。
【００２８】
ストロスイッチ３１がオンのときには、ストロボ発光のための充電が行われるとともに、ストロボ発光が許容され、充電が完了しているときにはシンクロスイッチ３０のオンでストロボ発光部７よりストロボ光が照射される。また、ストロボスイッチ３１がオフのときには、充電が停止されるとともに、ストロボ発光が禁止されシンクロスイッチ３０のオンとなってもストロボ発光は行われない。
【００２９】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，撮影光学系，ファインダ光学系等の撮影機構や、後述する絞り切替機構３６，シャッタ速度切替機構３７（図５参照）等を組み付けてある。
【００３０】
図５に示すように、モード切替機構２５は、ストロボスイッチ３１，絞り切替機構３６，シャッタ速度切替機構３７を操作部材１５に連動させる機構であるとともに、操作部材１５に連動させて、ストロボ発光部７の前方で減光板１９を挿脱するための移動機構、及びファインダ６の前方で指標板２０を挿脱するための機構となっている。ストロボスイッチ３１は、操作部材１５が第２，第３操作位置のときにモード切替機構２５によってオンとなる。
【００３１】
シャッタ羽根４０は、レリーズボタン９の押圧操作に応答して高速に移動するシャッタ駆動レバー（図示せず）によって、その当接部４０ａが蹴飛ばされることで、遮光筒３５の前面に設けたシャッタ開口４１を塞いだ閉じ位置から復帰バネ４２の付勢力に抗して矢印Ａ方向に回動する。このシャッタ羽根４０の回動中にシャッタ開口４１が全開となったときに、ストロボ回路２８のシンクロスイッチ３０が押圧部４０ｂに押圧されてオンとなる。
【００３２】
シャッタ速度切替機構３７は、例えばシャッタ羽根４２の回転角度を変化させることでシャッタ速度を変化させる。操作部材１５が第３操作位置のときには、シャッタ速度切替機構３７は、シャッタ羽根４２を規制することなく回動して、シャッタ羽根４２が所定の終端位置に達した後に復帰バネ４３の付勢力で閉じ位置に戻るようにする。一方、第１，第２操作位置のときには、シャッタ速度切替機構３７は、所定の終端位置よりも手前の位置で閉じ位置に戻るようにシャッタ羽根４２の回転角度を小さく規制する。これにより、第１，第２撮影モード時では高速シャッタを得、第３撮影モードでは低速シャッタを得る。
【００３３】
撮影レンズ５を構成する前側レンズ５ａと後側レンズ５ｂとの間に、固定絞り板４５を配してある。この固定絞り板４５には、大絞りとしての大絞り開口４５ａを形成してある。絞り切替え機構３６の一部をなす可動絞り板４６には、その先端部に大絞り開口４５ａよりも小さい開口径の小絞り開口４６ａを小絞りとして形成してある。この可動絞り板４６は、撮影レンズ５の光軸上に小絞り開口４６ａを配した挿入位置と、撮影レンズ５の光軸から退避した退避位置との間で回動自在としてある。
【００３４】
操作部材１５が第１操作位置または第２操作位置のときに、絞り切替機構３６は、可動絞り板４６を挿入位置とする。可動絞り板４６が挿入位置のときには、撮影レンズ５の光軸上に大絞り開口４５ａと小絞り開口４６ａとが配されるので、結果として小絞り開口４６ａを用いた小絞りによる撮影となる。操作部材１５が第３操作位置のときには、絞り切替機構３６は、可動絞り板４６を退避位置とする。可動絞り板４６が退避位置のときには、撮影レンズ５からの光は大絞り開口４５ａだけによって、その光量が制限されるから大絞りでの撮影となる。
【００３５】
スライド部材４７の上部に減光板１９を一体に設けてある。モード切替機構２５は、操作部材１５が第２操作位置と第３操作位置との間での回動に連動して、スライド部材４７を上下方向にスライドさせる。このスライド部材４７の上下方向のスライドにより、減光板１９は、ストロボ発光部７の前方に配された減光位置と、ストロボ発光部７の前方から退避した退避位置との間でスライドする。これにより、減光板１９を第１，第２撮影モード時では退避位置とし、第３撮影モード時では減光位置とする。
【００３６】
図６に示すように、ストロボ発光部７は、ストロボ光を放出するストロボ発光管５１と、ストロボ発光管５１からのストロボ光を前方に反射するリフレクタ５２と、ストロボ発光管５１及びリフレクタ５２を保護する透明なプロテクタ５３とからなる。ストロボ発光管５１は、細長い円管形状をしており、その長手方向（軸心に沿った方向）が写真フイルムの撮影画面の長手方向と一致するようにリフレクタ５２に取り付けてある。
【００３７】
ストロボ発光管５１としては、例えばその内部での放電によって発光するクセノン管を用いており、円管形状の発光管本体５１ａの両端に高電圧を印加する電極５１ｂを設けた構造となっている。ストロボ発光時には、発光管本体５１ａからストロボ光となる光が放出される。
【００３８】
リフレクタ５２は、Ｕ字状に湾曲されてストロボ発光管５１の周面と平行になるように配された湾曲反射部５２ａと、湾曲反射面５２ａの両端を塞ぐようにストロボ放電管５１の両端部近くに設けられた平板状の側面反射部５２ｂとからなり、前方が横長の長方形に開口している。このリフレクタ５２の開口を塞ぐようにプロテクタ５３を取り付けてあり、このプロテクタ５３をユニット本体２の前面に露呈してある。
【００３９】
減光板１９は、プロテクタ５３をとほぼ同じかそれよりも大きな遮光性を有する板状部材に、ストロボ光を射出するためのスリット状の開口（以下、スリットという）５５を設けたものである。減光板１９を減光位置にセットしたときには、ストロボ発光部７（プロテクタ５３）が減光板１９によって覆われ、ストロボ発光部７からのストロボ光は、スリット５５を通るストロボ光だけが被写体に向けて照射される。
【００４０】
なお、厳密には、スリット５５以外にもストロボ光を通す開口が減光板１９にあるが、スリット５５から照射されるストロボ光に比べてその光量が非常に少ないので配光パターン等に影響を与えない。
【００４１】
減光板１９としては、遮光性を有し、かつストロボ光の色温度への影響が少ないものであれば、種々の材質、構成で作成することができる。例えば遮光性を有する不透明なプラスチックを成型したり、鉄板を打ち抜いたプレス部品として減光板１９を作製してもよい。また、スリット５５は、ストロボ光を通せばよいから、スリット５５が透明なプラスチックやガラスなどで構成されていてもよい。例えばスリットの部分を除いて、プラスッチックの表面に塗装を施したり、シールを貼る等したりして遮光板１９を作製してもよい。なお、プラスチックの場合、シリコンが入っていても構わない。減光板１９のプロテクタ側の面で反射される等したストロボ光がリフレクタ５２で反射されてスリット５５から射出されたりすることを考慮すると、減光板５５は、グレーや黒色のように無彩色とするのが望ましい。
【００４２】
図７に示すように、スリット５５は、ストロボ発光管５１の略中央部の前方でストロボ発光管５１の長手方向と十字状に直交する細長い長方形になっている。ピンホールレンズの原理によってストロボ発光管の像を映し出すように、ストロボ発光部の前方に、円形の開口を形成した減光板を配した場合には、ストロボ光は、ストロボ発光管の長手方向に極端に長い楕円形に広がる。そこで、本発明では、ストロボ発光管の長手方向と適当な角度で交差するように長いスリットを減光板に設けることにより、ストロボ発光管の長手方向と直交する方向にもストロボ光の広がりを確保し、好ましい配光パターンとしている。なお、スリットは、ストロボ発光管５１の長手方向と直交する方向に長く設けるのが好ましく、上記のようにこの例でもそのようにしてある。
【００４３】
ストロボ発光管５１の長手方向に対するスリット５５の位置は、ストロボ発光管５１の中央より±1mm程度の範囲でスリット５５の中心線が交差するように、ストロボ発光管５１の長手方向の中央とするのが好ましい。スリット５５の位置がストロボ発光管５１の中央より±1mm程度の範囲より大きくなるとストロボの照射範囲がずれてしまう。
【００４４】
スリット５５の開口幅Ｗを変化させることにより、所望とするストロボ光量（ガイドナンバ）とすることができる。スリット５５を設けた減光板１９では、光の特性から開口幅Ｗを０．４ｍｍまで狭くしても横方向への広がりは十分確保することができ、５．０ＥＶ程度まで減光しても配光性を損なうことはない。また、図８に示すように、スリット５５の中央部の開口幅（この例では開口幅Wと同じ）とストロボ光量とが線形に比例する関係にあり、ストロボ光量の調整が容易である。
【００４５】
この例では、ガイドナンバで「８．８」のストロボ光量を「２．７」に減光するように開口幅Ｗを調整してあり、約３．４ＥＶ相当の減光性能となっている。なお、スリット５５の断面は、光の広がりを阻害しないように、図９に示すように被写体側（矢線方向）に広がる形状であることが望ましい。
【００４６】
次に、上記構成の作用について説明する。晴天の屋外でストロボ発光を必要としない撮影を行う場合には、図１に示されるように、操作部材１５を開口１４の下方にスライドして第１操作位置として第１撮影モードを選択する。
【００４７】
操作部材１５が第１操作位置となると、絞り切替機構３６により、可動絞り板４６が挿入位置とされて、撮影レンズ５の光軸上に小絞り開口４６ａが配される。また、シャッタ速度切替機構３７がシャッタ羽根４２の回転角度を小さく規制する。さらに、ストロボスイッチ３１は、ＯＦＦとなる。したがって、この第１撮影モードで撮影を行うと、１／１４０秒の高速シャッタ、絞り値Ｆ１４の小絞り、ストロボ非発光での撮影が行われる。
【００４８】
また、晴天の屋外でストロボ発光を必要とする場合、例えば逆光時の撮影では、図２に示されるように、操作部材１５を開口１４の上方にスライドして第２操作位置として第２撮影モードを選択する。第２撮影モードとすると、シャッタ速度、絞りについては第１撮影モードと同じであるが、ストロボスイッチ３１がＯＮとなる。したがって、この第２撮影モードで撮影を行うと、１／１４０秒の高速シャッタ、絞り値Ｆ１４の小絞り、ストロボ発光での撮影が行われる。そして、この第２撮影モードでは、減光板１９がストロボ発光部７の前方に配されていないから、ストロボ発光部７からのストロボ光は減光されることなく被写体に向けて照射される。
【００４９】
一方、暗い室内で背景を適当な濃度で再現しながら人物等の主要被写体を撮影する場合には、操作部材１５を第２操作位置から第３操作位置に回動し、第３撮影モードを選択する。操作部材１５が第３操作位置に回動されると、可動絞り板４６が退避位置とされ、シャッタ速度切替機構３７によるシャッタ羽根４２の規制が解除される。また、減光板１９が退避位置から減光位置にスライドし、ストロボ発光部７の前方に配されるとともに、指標板２０がファインダ６の前方に配される。
【００５０】
この第３撮影モードで撮影を行うと、シャッタ羽根４２の規制が解除されているので、１／４５秒の低速シャッタ、絞り値Ｆ５．６の大絞り、ストロボ発光での撮影が行われる。そして、この第３撮影モードでは、減光板１９がストロボ発光部７の前方に配されているので、ストロボ発光部７からのストロボ光は、スリット５５を通るものだけが被写体に向けて照射され、結果として大絞りに適し、主要被写体と背景との輝度差が小さくなるように調整されたストロボ光が照射される。しかも、スリット５５をストロボ発光管５１の長手方向と十字状に直交するように設けてあるので好ましい配光パターンでストロボ光を照射することができる。
【００５１】
次に近接撮影モードを有するレンズ付きフイルムユニットに適用した第２実施形態にについて説明する。なお、以下に説明するように、この例では第３撮影モードを近接撮影モードとし、その第３撮影モードの絞り値と、減光板のスリットの位置が異なる他は、上記実施形態と同様であるので、上記構成部材と実質的に同じ部材には同一の符号を付して説明し、その詳細な説明を省略する。
【００５２】
第３撮影モードが近い撮影距離で撮影を行うためのモードとなっており、この第３撮影モード時に減光板１９によってストロボ光を減光する。この減光は、近接撮影時に被写体が露光オーバーとなる、いわゆる白飛びとなることを防止するためのである。各撮影モードにおけるシャッタ速度，絞り値，ストロボ発光の有無、ガイドナンバの一例を表２に示す。なお、この例では、第３撮影モード時に、絞り値Ｆ２２の小絞りが撮影レンズ５の光軸上に挿入されるように絞り切替機構３６を構成してある。
【００５３】
【表２】
2007034172.tif 000004
【００５４】
図１０に示すように、減光板１９にスリット５８を設けてある。スリット５８は、ストロボ発光管５１の長手方向と十字状に直交するように細長く設けてあるが、ストロボ発光管５１の長手方向に対する位置を中央より撮影レンズ５側に距離ｄだけずらして設けてある。これは、ストロボ発光管５１の長手方向について、その中央よりスリットの位置がずれるとストロボ光の照射範囲がずれることを利用したものであり、スリット５８を撮影レンズ５側に少し寄せることで、ストロボ光の照射範囲が近距離撮影時の撮影範囲とほぼ合致するように補正される。
【００５５】
次に、減光板を近接アダプタに設けた第３実施形態について説明する。レンズ付きフイルムユニット６０は、そのユニット本体６１の前面に近接撮影用アダプタ６２を組み付けてある。ユニット本体６１には、各種撮影機構とフイルムパトローネ等を内蔵してある。ユニット６０は、例えばレンズ付きフイルムユニットとしては標準的なものと同等の性能を有するものであり、ピントセット位置を１ｍ〜無限遠の撮影距離範囲に合わせた固定焦点式の撮影レンズ６３を使用している。また、ストロボ操作部材６４を上方にスライドさせたオン位置とすることにより、撮影に同期してストロボ発光部７からストロボ光が照射される。
【００５６】
近接撮影用アダプタ６１は、接写用補助レンズ（以下、単に補助レンズという）６５を、図１１に示すように、撮影レンズ６２の前面から退避させた退避位置と、図１２に示すように、撮影レンズ６２の前面に配したセット位置との間で回動自在に取り付けてある。なお、このような回動自在な近接撮影用アダプタをユニト本体に着脱自在としてもよく、あるいは近接撮影用アダプタを退避位置とする代わりに取り外すようにしてもよい。
【００５７】
補助レンズ６５は、主レンズである撮影レンズ６３と組み合わせることで、ピントセット位置を変更するクローズアップレンズであり、ピントセット位置が、例えば４０ｃｍ〜８０ｃｍの範囲に変更される。これにより、近接撮影をした場合に良好なピント状態の画像を得る。
【００５８】
近接撮影用アダプタ６１には、近接撮影用視野枠６６，反射ミラー６７が設けられている。近接撮影用視野枠６６は、近接撮影時にファインダ６と撮影レンズ６３のパララックス（視差）を補正するための視野枠であり、ファインダ６の視野範囲を制限する。近接撮影用視野枠６６内には、撮影範囲の中心位置を示すターゲットリング６６ａを設けてあり、フレーミングの際には、このターゲットリング６６ａの中心に主要被写体を合わせることで、主要被写体を簡単に画面内の中心に写し込むことができるようにしている。
【００５９】
反射ミラー６７は、使用者が使用者自身を写すいわゆるセルフ撮影をする際に、被写体となる使用者自身が画角内にあるかどうかを確認するためのものである。この反射ミラー６７は、凸面鏡で形成されており、近接撮影時の撮影範囲内にある被写体を写すことができるように、向きや凸面の曲率などを決定してある。
【００６０】
また、近接撮影用アダプタ６１には、減光板１９を一体に設けてある。減光板１９は、近接撮影用アダプタ６１をセット位置としたときに、ストロボ発光部７の前方に配置される。減光板１９には、第２実施形態と同様に、ストロボ発光管５１の長手方向に対する位置を撮影レンズ側に少し寄せたスリット６８を設けてある。
【００６１】
このレンズ付きフイルムユニット６０によれば、風景や人物撮影など撮影距離が１ｍ以上の撮影シーンの撮影を行う場合では、図１１に示されるように、近接撮影用アダプタ６２を退避位置とした状態で撮影行う。そして、この場合にストロボ操作部材６４をオン位置とすれば、撮影に同期してストロボ発光部７から、減光されることなくストロボ光が被写体に向けて照射される。
【００６２】
他方、セルフ撮影や花や植物などをマクロ撮影する場合には、図１２に示されるように、近接撮影用アダプタ６２をセット位置として撮影を行う。このセット位置では、補助レンズ６５が撮影レンズ６３の前方に配されることにより、ピントセット位置が例えば４０ｃｍ〜８０ｃｍの範囲の近距離側に変更され近距離の被写体にピントが合致した撮影を行うことができる。
【００６３】
この近接撮影用アダプタ６２をセット位置としてストロボ撮影を行う場合には、ストロボ操作部材６４をオン位置として撮影を行う。この場合、被写体には、減光板１９のスリット６８を通過したストロボ光が照射されるため、露光オーバーを防止することができる。また、スリット６８を撮影レンズ５側に少し寄せてあるので、近接撮影用アダプタ６２を併用して行う近距離の撮影範囲をほぼカバーするようにストロボ光の照射範囲が補正されるので、露光ムラが発生しない。
【００６４】
図１３は、前カバーに減光板を一体に設けた第４実施形態を示すものである。レンズ付きフイルムユニット７０は、そのユニット本体７１に各種撮影機構，絞り切替機構、シャッタ速度切替機構，ストロボ装置７２，フイルムパトローネ等を内蔵してある。ユニット本体７１は、上記各実施形態と同様に各種機構、部品等を組み付けた本体基部の前後を前カバー７３，後カバー７４とで覆う構成となっている。ストロボ装置７２のストロボ発光部７に対面する前カバー７３の部分には、減光板１９を一体に設けてある。減光板１９には、ストロボ発光管の長手方向と十字状に直交する細長いスリット７６を形成してある。
【００６５】
レンズ付きフイルムユニット７０は、上下方向にスライド自在なストロボ操作部材７７をオフ位置としているときには、小絞り、高速シャッタ、ストロボＯＦＦの第１撮影モードとなり、ストロボ操作部材７７をオン位置としているときには、大絞り、低速シャッタ、ストロボＯＮの第２撮影モードとなるようにしてある。この第２撮影モードでは、ストロボ発光が行われるが、減光板１９を前カバー７３と一体に設けて固定してあるので、常にストロボ光が減光される。各撮影モードにおける、絞り値、シャッタ速度、ストロ発光の有無、ガイドナンバの一例を表３に示す。
【００６６】
【表３】
2007034172.tif 000005
【００６７】
この例によれば、レンズ付きフイルムユニット７０用のストロボ装置として、例えばリユースされた光量の大きなストロボ装置を用いて、光量の小さいストロボ発光を行う第２撮影モードを実現することができる。
【００６８】
前述のように、減光板をグレーや黒色のように無彩色としてストロボ光に色が付かないようにすることが望ましいため、上記第４実施形態のように前カバーと遮光板とを一体にすると、前カバーのデザイン（色）を制約することがある。そこで、遮光板を前カバーとは別部品にして、ストロボ発光部の前面に組み付けるようにしてもよく、次の図１４、図１５に示す第５実施形態のように、他の部品と一体にして、ストロボ発光部の前面に配置してもよい。
【００６９】
図１４、図１５に示す第５実施形態は、操作部材をスライド自在に保持する受け板に遮光板を一体に設けたものである。図１４に示すように、レンズ付きフイルムユニット７８は、そのユニット本体７９に各種撮影機構，絞り切替機構、シャッタ速度切替機構，ストロボ装置，フイルムパトローネ等を内蔵している。前カバー７９ａには、ストロボ発光部７を露呈させる開口８０を設けてある。開口８０内には、ストロボ発光部７の前面に配した遮光板１９を配してあり、その遮光板１９にはスリット５５を設けてある。
【００７０】
ストロボ操作部材８１は、上下方向にスライド自在としてあり、図１４に示すように、オフ位置としているときには、小絞り、高速シャッタ、ストロボＯＦＦの第１撮影モードとなり、オフ位置から上方にスライドしてオン位置としているときには、大絞り、低速シャッタ、ストロボＯＮの第２撮影モードとなるようにしてある。なお、絞り置，シャッタ速度、ストロボのガイドナンバー等は、例えば第４実施形態と同じである。
【００７１】
図１５に示すように、操作部材８１は、スライド板８２に一体に設けられ、このスライド板８２を受け板８３にスライド自在に組み付けてある。受け板８３は、その上部に遮光板１９を一体に形成してあり、ユニット本体７９内に固定してある。これにより、撮影モードにかかわらず遮光板１９を常にストロボ発光部の前面に配している。受け板８３は、外部に露呈されないため、遮光板１９と同じグレーや黒色の無彩色としても、特にデザインに影響を与えることがない。
【００７２】
図１６及び図１７は、減光板をプロテクタにシールとして貼り付ける第６実施形態を示すものである。減光板８５は、ストロボ発光部のプロテクタ５３と同じか僅かに大きいサイズのシート状にしてある。減光板８５には、上記各実施形態と同様なスリット８６を形成してある。また、減光板８５の一方の面には、接着層８７を形成してあり、この接着層８７により減光板８５をプロテクタ５３の前面に貼付ける。接着層８７の接着剤として粘着剤を用いて、遮光板８５を貼り付けた後、再びはがしたり、再度貼付けることができるようにしてもよい。
【００７３】
この例によれば、ストロボ装置のコンデンサ等を交換することなく、減光板８５プロテクタ５３に貼付けるだけで、適切なストロボ光の配光パターンを確保しつつストロボ光量を調整することが可能になる。したがって、共通な仕様のストロボ装置を各種光量のストロボ装置として利用することができ、部品の共通化、リユースされたストロボ装置の有効利用を図ることができる。
【００７４】
図１８はスリットの開口幅を可変とした第７実施形態を示すものである。この例では、ストロボ発光部７の前方に配置された減光板９０は、一対のスライド部材９０ａ，９０ｂから構成してある。スライド部材９０ａには、コ字状の切り欠きを設けてあり、その部分がスライド部材９０ｂと部分的に重なることにより、ストロボ発光管５１の長手方向に十字状に直交する細長い矩形のスリット９１が形成される。
【００７５】
スライド機構９２は、一対のスライド部材９０ａ，９０ｂとともにスリット９１の開口幅を調節する調節手段を構成しており、光量操作部９３の操作により、スライド部材９０ａ，９０ｂをストロボ発光管５１の長手方向に沿って互いに相反する方向にスライドする。これにより、光量操作部９３の操作で、スリット９１の開口幅を変化させてストロボ光の減光性能を調節することができる。
【００７６】
なお、スライド部材９０ａ，９０ｂを同方向にスライドさせて、ストロボ光の照射範囲を変化させてもよく、これを開口幅の変化と組み合わせてもよい。また、光量操作部９３としては、他の操作部材に連動させたり、撮影モードを選択する操作部材としてもよい。
【００７７】
上記に説明したように、減光板に形成するスリットは、ストロボ発光管の中央の前方で、その長手方向と十字状に直交する細長い長方形の形状が好ましいが、図１９に示すように、例えばストロボ発光管５１の長手方向と直交する方向に対して少し傾斜したスリット９５を設けても機能を損なうことはない。ストロボ発光管５１の長手方向と直交する方向とスリット９５とがなす角度αが０度〜約４５度の範囲ではさほど問題ないが、４５度以上傾くと配光性が悪化するので避けるのが好ましい。
【００７８】
また、スリットの形状を例えば図２０に示すスリット９６のように曲線状にしてもよい。このときに、ストロボ発光管５１の略中央部分でのストロボ発光管５１の長手方向となす交差角度が４５度（＝β１）から１３５度（＝β２）の範囲にスリット９６の中心線９６ａがあることが望ましい。
【００７９】
さらに、図２１に示すスリット９７のように、その両端９７ａの幅を中央部分よりも広くするのもより好ましい。このようにすることにより、ストロボ光の光量が不足しやすい画面周辺部にも、適当なストロボ光量を照射することができる。また、図２２に示すように、デザイン性を付与したり、光量を微調整したりするために、スリット５５の他に、撮影画面内にストロボ光を照射する照射光量が少ない補助開口９８を設けてもよい。補助開口９８は、１個でも複数個でもよいが、それが照射するストロボ光量がスリットからのものに対して１．０ＥＶ以上少なく、開口面積がスリットの２５％以下であることが望ましい。
【００８０】
上記ではレンズ付きフイルムユニットに内蔵したレンズ付きフイルムユニットのストロボ装置のストロボ光量を減光する例について説明したが、本発明は、写真フイルムの再装填が可能なカメラに内蔵されたストロボ装置、カメラに装着して使用するストロボ装置にも利用することができる。
【図面の簡単な説明】
【００８１】
【図１】本発明を実施したレンズ付きフイルムユニットの第１撮影モードの状態を示す外観斜視図である。
【図２】レンズ付きフイルムユニットの第２撮影モードの状態を示す外観斜視図である。
【図３】レンズ付きフイルムユニットの第３撮影モードの状態を示す外観斜視図である。
【図４】レンズ付きフイルムユニットの構成を示す分解斜視図である。
【図５】絞り，シャッタ速度の切り替え、及び遮光板の挿脱する機構を示すブロック図である。
【図６】ストロボ発光部の構成を示す分解斜視図である。
【図７】スリットとストロボ発光管の位置関係を示す斜視図である。
【図８】スリットの開口幅とガイドナンバの関係を示すグラフである。
【図９】スリットの断面形状を示す断面図である。
【図１０】スリットをストロボ放電管の中央から撮影レンズ側にずらして設けた例を示すものである。
【図１１】近接撮影用アダプタに遮光板を設けた例において近接撮影用アダプタを退避位置とした状態を示すものである。
【図１２】近接撮影用アダプタに遮光板を設けた例において近接撮影用アダプタをセット位置とした状態を示すものである。
【図１３】前カバーに遮光板を一体に設けた例を示すものである。
【図１４】遮光板を操作部材をスライド自在に保持する受け板に一体に設けた例を示すものである。
【図１５】受け板に一体に設けた遮光板を示す斜視図である。
【図１６】遮光板をシールとした例を示すものである。
【図１７】遮光板をプロテクタに貼付ける状態を示すものである。
【図１８】スリットの開口幅を可変にした例を示すものである。
【図１９】スリットを傾斜させた例を示す説明図である。
【図２０】スリットを曲線状とした例を示す説明図である。
【図２１】スリットの両端を幅広にした例を示す説明図である。
【図２２】遮光板に補助開口を設けた例を示す説明図である。
【符号の説明】
【００８２】
２，６０，７０，７８  レンズ付きフイルムユニット
７  ストロボ発光部
１９，８１，９０  遮光板
１５  操作部材
２４，７２  ストロボ装置
２５  モード切替機構
５１  ストロボ発光管
５３，８３  プロテクタ
５５，５８，６８，７６，８４，９１，９５〜９７  スリット
９８  補助開口
【図１】
2007034172.tif 000006
【図２】
2007034172.tif 000007
【図３】
2007034172.tif 000008
【図４】
2007034172.tif 000009
【図５】
2007034172.tif 000010
【図６】
2007034172.tif 000011
【図７】
2007034172.tif 000012
【図８】
2007034172.tif 000013
【図９】
2007034172.tif 000014
【図１０】
2007034172.tif 000015
【図１１】
2007034172.tif 000016
【図１２】
2007034172.tif 000017
【図１３】
2007034172.tif 000018
【図１４】
2007034172.tif 000019
【図１５】
2007034172.tif 000020
【図１６】
2007034172.tif 000021
【図１７】
2007034172.tif 000022
【図１８】
2007034172.tif 000023
【図１９】
2007034172.tif 000024
【図２０】
2007034172.tif 000025
【図２１】
2007034172.tif 000026
【図２２】
2007034172.tif 000027